(57)【要約】      （修正有）【課題】互いに異なる美観を持つ材料を組み合わせることによって、装飾性を向上させることが可能な大谷石加工品及びコースターを提供する。【解決手段】大谷石加工品１は、大谷石を加工して形成された大谷石加工品であって、大谷石により形成された大谷石加工材１０と、大谷石加工材１０の表面に形成された穴部１２と、穴部１２に配設された装飾材３０と、を備える。特に、大谷石加工品１では、装飾材３０が、大谷石とは異なる材料から形成されている。これによって、大谷石加工品１では、大谷石により形成された大谷石加工材１０と、大谷石とは異なる材料により形成された装飾材３０とで、互いに異なる美観が表現され、それぞれの美観をより高め合うことができ、装飾性を向上させることが可能となる。【選択図】図１
0003186249.tif 000002
【実用新案登録請求の範囲】
【請求項１】
大谷石を加工して形成された大谷石加工品であって、
前記大谷石により形成された大谷石加工材と、
前記大谷石加工材の表面に形成された穴部と、
前記大谷石とは異なる材料からなり、前記穴部に配設された装飾材と、を備えることを特徴とする大谷石加工品。
【請求項２】
前記穴部は、前記大谷石に含まれる粘土鉱物であるミソを取り除くことによって形成されていることを特徴とする請求項１に記載の大谷石加工品。
【請求項３】
前記装飾材は、宝石、金属、樹脂及びガラスのうち少なくとも一の材料からなることを特徴とする請求項１又は２に記載の大谷石加工品。
【請求項４】
上面に容器が載置される載置台を備えるコースターであって、
前記載置台は、請求項１乃至３のうちいずれか一項に記載の大谷石加工品からなることを特徴とするコースター。
【請求項５】
前記穴部は、前記載置台の上面及び側面のうち少なくとも一方において形成されていることを特徴とする請求項４に記載のコースター。
【考案の詳細な説明】
【技術分野】
【０００１】
本考案は、大谷石を加工して形成された大谷石加工品及び該大谷石加工品を備えてなるコースターに関し、特に、互いに異なる美観を生じる材料を組み合わせることによって、装飾性を向上することが可能な大谷石加工品及びコースターに関する。
【背景技術】
【０００２】
従来、大谷石を加工して形成された大谷石加工品として、例えば、特許文献１に記載された浴槽、特許文献２に記載された植木鉢等が知られている。
特許文献１に記載された浴槽は、大谷石を所要の大きさの立方体または直方体に切り出して浴槽本体を形成した後、該浴槽本体の上面から底面に向けて、所要深さの湯船を刻設することによって形成されている。
そして、特許文献１に記載された浴槽によれば、大谷石の心温まる風合いにより、和風感の漂う造形物として、入浴者に安らぎを与えることができる。
また、特許文献２に記載された植木鉢は、大谷石を裁断して形成した立方体を複数用意し、この複数の立方体を相互に接触・衝突させることによる削り合いの後に、これに盛土・排水用の孔を穿孔することによって形成されている。
そして、特許文献２に記載された植木鉢によれば、大谷石同士の削り合いによって、ミソが斑点状に含まれる大谷石の表情を強く浮き彫りにすることができ、従来にない植木鉢の趣を楽しむことができる。
【先行技術文献】
【特許文献】
【０００３】
【特許文献１】特開２００４−１８７９２４号公報
【特許文献２】特開２００２−２２３６３９号公報
【考案の概要】
【考案が解決しようとする課題】
【０００４】
しかしながら、従来の大谷石加工品では、装飾性を向上することが難しい。
すなわち、従来の大谷石加工品では、大谷石が有する個性的な表情をより強く表現することによって装飾性を向上しているため、装飾性を向上することに限界がある。
本考案の課題は、従来の大谷石加工品と比較して、装飾性を向上することが可能な大谷石加工品を提供することにある。
【課題を解決するための手段】
【０００５】
上記課題を解決するために、第一の考案に係る大谷石加工品は、大谷石を加工して形成された大谷石加工品であって、前記大谷石により形成された大谷石加工材と、前記大谷石加工材の表面に形成された穴部と、前記大谷石とは異なる材料からなり、前記穴部に配設された装飾材と、を備えることを特徴とする。
第一の考案に係る大谷石加工品では、大谷石加工材において装飾材が配設されている。これによって、第一の考案に係る大谷石加工品では、装飾材が表現する美観により、装飾性を向上することが可能となる。
特に、第一の考案に係る大谷石加工品では、装飾材が、大谷石により形成された大谷石加工材とは異なる材料により形成されている。ここで、大谷石は、加工方法やミソの出かた等によって、趣のある個性的な表情を表現することができる。これによって、第一の考案に係る大谷石加工品では、大谷石により形成された大谷石加工材と、大谷石とは異なる材料により形成された装飾材とで、互いに異なる美観が表現され、それぞれの美観をより高め合うことができ、その結果、装飾性を更に向上することが可能となる。
また、第一の考案に係る大谷石加工品では、装飾材が、大谷石加工材の表面に形成された穴部に配設されている。これによって、第一の考案に係る大谷石加工品では、大谷石加工材に対する装飾材の固定強度を向上することが可能となる。また、装飾材が大谷石加工材の表面から突出することを抑制することができるため、大谷石加工品の使用時における装飾材への接触が抑制され、装飾材が大谷石加工材から脱落することを防止することが可能となる。
以上のように、第一の考案に係る大谷石加工品によれば、従来の大谷石加工品と比較して、装飾性を向上することが可能となる。
【０００６】
ここで、大谷石は、多数の微細孔が形成された多孔質構造を有しており、この微細孔に水分が吸収されることによる高い吸水性（１５％〜２０％）を有している。
したがって、第一の考案に係る大谷石加工品によれば、特に、高い吸水性が求められる製品（例えば、コースター等）に適用することによって、当該製品の吸水性を高めることが可能となる。
また、大谷石は、軟岩（軟質）であるため、加工性が良好となっている。
したがって、第一の考案に係る大谷石加工品によれば、高い加工性によって、様々な形状の製品を容易に形成することが可能となる。
さらに、大谷石は、多量の天然ゼオライトを含んでいる。ここで、天然ゼオライトは、多量のマイナスイオンを放出する。
したがって、第一の考案に係る大谷石加工品によれば、多量のマイナスイオンが放出されることによって、周囲の人間にアルファ波を発生させることができ、周囲の人間をリラックスさせることが可能となる。
また、天然ゼオライトは、多孔質構造を持ち、アンモニア等の悪臭の基となるガスを微細孔内に吸着することによる脱臭作用を有している。さらに、天然ゼオライトは、イオン交換することで悪臭の基となるガスを他の物質に変化させることによる脱臭作用を有している。
したがって、第一の考案に係る大谷石加工品によれば、脱臭効果を奏することが可能となる。
【０００７】
第二の考案に係る大谷石加工品は、第一の考案に係る大谷石加工品において、前記穴部は、前記大谷石に含まれる粘土鉱物であるミソを取り除くことによって形成されていることを特徴とする。
第二の考案に係る大谷石加工品では、装飾材が配設される穴部が、大谷石に含まれる粘土鉱物であるミソを取り除くことによって形成されている。
ここで、ミソ（黒色・茶色の斑点部分）は、モンモリロナイト等の粘土鉱物からなり、浮石質火山ガラスを主な構成物質としている。そして、ミソは、大谷石における他の部分（基質部分）と比較して強度が低いため、基質部分から容易に取り除くことができる。
したがって、第二の考案に係る大谷石加工品によれば、大谷石加工材において、装飾材を配設するための穴部を容易に形成することができ、その結果、大谷石加工品の製造を容易に行うことが可能となる。
【０００８】
第三の考案に係る大谷石加工品は、第一又は第二の考案に係る大谷石加工品において、前記装飾材は、宝石、金属、樹脂及びガラスのうち少なくとも一の材料からなることを特徴とする。
第三の考案に係る大谷石加工品によれば、装飾材の美観を更に向上することができ、その結果、大谷石加工品の装飾性を更に向上することが可能となる。
【０００９】
第四の考案に係るコースターは、上面に容器が載置される載置台を備えるコースターであって、前記載置台は、第一乃至第三のうちいずれか一の考案に係る大谷石加工品からなることを特徴とする。
第四の考案に係るコースターでは、容器が載置される載置台が、大谷石により形成された大谷石加工材と、大谷石加工材の表面に形成された穴部と、穴部に配設された装飾材と、を備えてなる。これによって、第四の考案に係るコースターでは、大谷石加工材と装飾材とで、互いに異なる美観が表現され、装飾性を向上することが可能となる。
また、第四の考案に係るコースターでは、装飾材が、大谷石加工材の表面に形成された穴部に配設されている。これによって、第四の考案に係るコースターでは、大谷石加工材に対する装飾材の固定強度が向上され、また、装飾材が大谷石加工材の表面から突出することが抑制されるため、装飾材が大谷石加工材から脱落することを防止することが可能となる。
特に、第四の考案に係るコースターでは、装飾材が載置台の表面から突出することが抑制されることにより、載置台に載置された容器の下方においても装飾材を配設することが可能となり、コースターにおいて装飾材を配設することが可能な範囲（位置）を拡大することが可能となる。
【００１０】
また、第四の考案に係るコースターでは、載置台が、高い吸水性を有する大谷石から形成されていることによって、紙等により形成されたコースターと比較して吸収性を高めることができ、容器の外面に発生した水滴の垂れを防止することが可能となるとともに、容器の底部への付着を防止することが可能となる。
さらに、第四の考案に係るコースターでは、載置台が、軟岩である大谷石から形成されていることによって、加工性が向上し、円形、四角形、星形、ハート形等、様々な形を容易に形成することが可能となる。
ここで、上述のように、大谷石は、多量の天然ゼオライトを含んでいる。そして、天然ゼオライトは、強い遠赤外線を放出する。これによって、第四の考案に係るコースターでは、コースター上に載置された容器内の食品（飲料等）に対して遠赤外線が照射されることで、食品中の水分子が活性化して、食品の熟成を進ませることが可能となる。
【００１１】
第五の考案に係るコースターは、第四の考案に係るコースターにおいて、前記穴部は、前記載置台の上面及び側面のうち少なくとも一方において形成されていることを特徴とする。
第五の考案に係るコースターによれば、特に、載置台の上面及び側面のそれぞれにおいて形成された穴部に装飾材を配設することによって、使用時における装飾材の視認性が高まり、装飾性を更に向上することが可能となる。
【考案の効果】
【００１２】
本考案に係る大谷石加工品及びコースターによれば、従来の大谷石加工品と比較して、装飾性を向上することが可能となる。
【図面の簡単な説明】
【００１３】
【図１】本考案の実施形態に係るコースターの斜視図である。
【図２】図１に示すコースターの平面図である。
【図３】図１に示すコースターの裏面図である。
【図４】図２に示すＡ−Ａ線に沿う断面図である。
【図５】図１に示すコースターの使用例を示す図である。
【考案を実施するための形態】
【００１４】
本考案に係る大谷石加工品は、建築用材料（床材、柱材、壁材、壁面パネル、床面パネル、タイル等）、家具（テーブル、椅子、テレビ台等）、家庭用具・食卓用具（灰皿、コースター、火鉢、鍋敷き等）、装飾用具（額縁、花器、植木鉢等）、電気製品（照明の台座等）等の各種の製品に適用することができる。
以下、本考案の実施形態に係るコースター１について、図面を参照しながら説明する。
コースター１は、コップ（グラス、カップ、ジョッキ等）、ボトル等の飲料用の容器Ｃ（図５参照）の下に敷いて使用される。
【００１５】
（コースター１の構成）
図１は、本考案の実施形態に係るコースターの斜視図である。図２は、図１に示すコースターの平面図である。図３は、図１に示すコースターの裏面図である。図４は、図２に示すＡ−Ａ線に沿う断面図である。
図１乃至図４に示すコースター１は、上面１１に容器Ｃが載置される載置台１０と、載置台１０の下面側に配設された弾性材２０と、載置台１０に配設された装飾材３０と、を備えている。なお、載置台１０（大谷石加工材）及び装飾材３０（装飾材）が、本考案に係る大谷石加工品に対応している。
載置台１０は、大谷石によって形成されている。
ここで、大谷石は、珪酸、第二酸化鉄、酸化アルミニウム、酸化マンガン、石灰、酸化マグネシウム、カリウム、ナトリウム等を成分とする軽石凝灰岩であり、栃木県宇都宮市北西部の大谷町付近一帯で採掘される石材である。大谷石は、多孔質で火熱に強く、１０００℃以上でも安定し、他の石材に比べて軟らかく、採掘や加工がしやすい性質を有している。また、大谷石は、多量のゼオライトを含んでおり、このゼオライトは、多量のマイナスイオン及び強い遠赤外線を放出し、癒し効果や熟成効果を発揮するとともに、その多孔質構造により、脱臭効果及びガスや水を吸着する作用を有している。
【００１６】
載置台１０は、平板状に形成されている。図２に示すように、本実施形態では、載置台１０は、平面視で円形の板状に形成されている。なお、載置台１０は、平面視で四角形（多角形）、星形、ハート形等、様々な形に形成することができる。ここで、載置台１０の厚さは、加工性、強度、吸水性等を考慮すると、５ｍｍから１５ｍｍの範囲内にあることが好ましく、本実施形態では、約９ｍｍに形成されている。
載置台１０の表面には、装飾材３０を配設するための穴部１２が形成されている。穴部１２は、載置台１０の上面１１及び側面（外周面）のうち少なくとも一方において形成されている。本実施形態では、載置台１０の上面１１及び側面のそれぞれにおいて、複数の穴部１２が形成されている。
各穴部１２は、載置台１０を貫通しない深さ（当該穴部１２の深さ方向に貫通しない深さ）となるように、凹状に形成されている。本実施形態では、各穴部１２は、大谷石に含まれる粘土鉱物であるミソを取り除くことによって形成されている。ここで、ミソ（黒色・茶色の斑点部分）は、モンモリロナイト等の粘土鉱物からなり、浮石質火山ガラスを主な構成物質としている。そして、ミソは、大谷石における他の部分（基質部分）と比較して強度が低いため、基質部分から容易に取り除くことができる。そこで、本実施形態では、載置台１０の表面に現れているミソを、切削工具により削り取ることによって、各穴部１２を形成している。なお、本実施形態では、大谷石におけるミソを削り取ることによって各穴部１２を形成しているが、大谷石における基質部分を切削することによって各穴部１２を形成しても構わない。
【００１７】
また、載置台１０の上面１１に形成される穴部１２については、上面１１における容器Ｃが載置される領域（以下、「載置領域」）を除いた領域（以下、「周辺領域」とする）のみに形成されても、載置領域のみに形成されても、載置領域及び周辺領域のそれぞれに形成されても構わない。
さらに、各穴部１２の深さは、適宜、設定することができるが、当該穴部１２に配設される装飾材３０が載置台１０の表面から突出することがない深さに設定されていることが好ましい。特に、載置台１０の上面１１の載置領域に形成される穴部１２については、当該穴部１２に配設される装飾材３０が載置台１０の表面から突出することがない深さに設定されていることが好ましい。これによって、載置台１０の上面１１（載置領域）に載置された容器Ｃの載置状態が不安定となることを防止することが可能となる。
載置台１０の上面１１には、描画、印刷等によって、模様、文字、絵、ロゴ等を施すことができる。また、載置台１０の上面１１には、ダイヤ仕上げ加工、リブ仕上げ加工、ビシャン仕上げ加工、格子仕上げ加工、チェーン仕上げ加工、コボリ仕上げ加工、割り肌仕上げ加工等、種々の溝や凹部を施す加工を行うことができる。これによって、コースター１の装飾性を更に向上することが可能となる。
【００１８】
弾性材２０は、ゴム、樹脂、コルク等の弾性材料によって形成されている。本実施形態では、弾性材２０は、コルクにより形成されている。また、弾性材２０は、平面視で円形の平板状に形成されている。なお、弾性材２０の形状は、平面視で四角形（多角形）、星形、ハート形等、載置台１０の形状に合わせて変更することができる。そして、弾性材２０は、接着により、載置台１０の裏面に取付けられている。
図３に示すように、弾性材２０の大きさ（直径）は、載置台１０の大きさ（直径）より小さく形成されている。また、図４に示すように、弾性材２０の厚さは、載置台１０の厚さより薄く形成されており、本実施形態では２ｍｍに形成されている。ここで、本実施形態では、載置台１０の下面の略全域を１枚の弾性材２０によって覆っているが、載置台１０の下面において分割された複数の弾性材２０を配設しても構わない。
【００１９】
装飾材３０は、載置台１０とは異なる材料により形成されている。具体的には、装飾材３０は、宝石、金属、樹脂及びガラスのうち少なくとも一の材料から形成されている。宝石としては、例えば、真珠、水晶、サンゴ、琥珀、天然鉱物（いわゆる、「天然宝石」）、人工合成物（いわゆる、「人工宝石」）等を用いることができる。また、金属としては、スパンコール、金属粉末、金属箔、金属球等、特に、貴金属により形成されたものを用いることができる。樹脂としては、ビーズ、スパンコール（金属がメッキ加工されたものを含む）、ラインストーン等を用いることができる。なお、ラインストーン、ビーズ等は、水晶、ガラス等により形成されているものであっても構わない。
図１、図２及び図４に示すように、装飾材３０は、各穴部１２の内側に配設されている。ここで、各穴部１２においては、１つの装飾材３０が配設されていても、複数の装飾材３０が配設されていても構わず、また、１種類の装飾材３０が配設されていても、複数種類の装飾材３０が配設されていても構わない。
【００２０】
各装飾材３０は、載置台１０の表面に対して外方に向かって突出しないように構成（配置）されていることが好ましい。特に、載置台１０の上面１１の載置領域に形成された穴部１２に配設される装飾材３０については、載置台１０の上面１１から上方に向かって突出しないように構成（配置）されることが好ましい。これによって、載置台１０の上面１１（載置領域）に載置された容器Ｃの載置状態が不安定となることを防止することが可能となる。
なお、各装飾材３０は、載置台１０の表面に対して外方に向かって僅かに突出するように構成（配置）しても構わない。特に、載置台１０の上面１１における周辺領域又は載置台１０の側面に配設される装飾材３０については、載置台１０の表面に対して外方に向かって僅かに突出するように配置することによって、装飾材３０が目に付き易くなり（装飾材３０の視認性が向上し）、コースター１の装飾性を向上することが可能となる。
各装飾材３０は、接着剤等によって、穴部１２の内側に固定されている。この際、装飾材３０を穴部１２の内側に挿入した状態で透明な樹脂等を穴部１２に充填して、穴部１２が樹脂によって完全に塞がれた状態としても構わない。これによって、装飾材３０が樹脂等により完全に覆われて、装飾材３０と容器Ｃとの接触が抑制され、装飾材３０の破損及び脱落を防止することが可能となる。
【００２１】
（コースター１の作用・効果）
次に、コースター１の作用・効果について説明する。
図５は、図１に示すコースターの使用例を示す図である。
図５に示すように、コースター１は、弾性材２０を下側にしてテーブルＴに載置されて使用される。そして、コースター１の載置台１０の上面１１には、飲料（食品）を入れた容器Ｃが載置される。
この際、コースター１の使用者は、載置台１０の上面１１及び側面のそれぞれに配設された装飾材３０を目にすることになる。特に、容器Ｃが透明である場合には、容器Ｃを介して（透明な容器Ｃ越しに）、載置台１０の上面１１の載置領域に配設された装飾材３０を視認することが可能となる。
このように、コースター１では、載置台１０において装飾材３０が配設されている。これによって、装飾材３０が表現する美観により、装飾性を向上することが可能となる。
特に、コースター１では、装飾材３０が、載置台１０とは異なる材料により形成されている。具体的には、コースター１では、載置台１０が大谷石により形成され、装飾材３０が宝石、金属、樹脂及びガラスのうち少なくとも一の材料により形成されている。ここで、大谷石は、加工方法やミソの出かた等によって、趣のある個性的な表情を表現することができる。これによって、コースター１では、大谷石により形成された載置台１０と、大谷石とは異なる材料により形成された装飾材３０とで、互いに異なる美観が表現され、それぞれの美観をより高め合うことができ、その結果、装飾性を更に向上することが可能となる。
【００２２】
また、コースター１では、装飾材３０が、載置台１０の表面に形成された穴部１２に配設されている。これによって、コースター１では、載置台３０に対する装飾材３０の固定強度を向上することが可能となる。また、装飾材３０が載置台３０の表面から突出することを抑制することができるため、コースター１の使用時における装飾材３０への接触（容器Ｃ等の接触）が抑制され、装飾材３０が載置台１０から脱落することを防止することが可能となる。さらに、装飾材３０が載置台１０の表面から突出することが抑制されることにより、載置台１０に載置された容器Ｃの下方（載置領域）においても装飾材３０を配設することが可能となり、載置台１０において装飾材３０を配設することが可能な範囲（位置）を拡大することが可能となる。
さらに、コースター１では、載置台１０の上面１１及び側面のそれぞれにおいて装飾材３０が配設されていることによって、使用時における装飾材３０の視認性が高まり、装飾性を更に向上することが可能となる。
また、コースター１では、装飾材３０が配設される穴部１２が、大谷石に含まれる粘土鉱物であるミソを取り除くことによって形成されている。ここで、ミソは、大谷石における他の部分（基質部分）と比較して強度が低いため、基質部分から容易に取り除くことができる。したがって、コースター１によれば、装飾材３０を配設するための穴部１２を容易に形成することができ、その結果、コースター１の製造を容易に行うことが可能となる。
【００２３】
一方、コースター１を使用する際には、容器Ｃに入っている飲料の温度が周囲の温度より低い場合には、時間の経過に伴い、容器Ｃの外面に水滴が付着する。そして、容器Ｃの外面に付着した水滴は、容器Ｃの外面に沿ってコースター１の載置台１０の上面１１に落下する。
この際、コースター１では、容器Ｃが載置される載置台１０が、高い吸水性を有する大谷石により形成されていることによって、載置台１０の上面１１に落下した水滴が載置台１０の内部に吸収され、載置台１０の上面１１に水滴が溜まることが防止される。したがって、コースター１によれば、容器Ｃの外面に発生した水滴がテーブルＴや洋服等に垂れることを防止でき、また、水滴の粘性によりコースター１が容器Ｃの底部に付着することを防止できる。
特に、コースター１では、載置台１０が紙等と比較して重量が大きい大谷石により形成されていることによって、容器Ｃの底部への付着をより確実に防止することができる。
【００２４】
また、コースター１では、載置台１０を形成する大谷石が、強い遠赤外線及び多量のマイナスイオンを放出する天然ゼオライトを多量に含んでいることによって、載置台１０に載置された容器Ｃ内の食品（飲料等）に対して遠赤外線が照射され、食品中の水分子を活性化させる。したがって、コースター１によれば、容器Ｃ内の食品の熟成を進ませることができ、食品の味を美味しくすることが可能となる。
また、コースター１から周囲に対して多量のマイナスイオンが照射され、周囲の人間にアルファ波を発生させる。したがって、コースター１によれば、大谷石の見た目の柔らかさとともに、周囲の人間をリラックスさせることが可能となる。
また、コースター１では、載置台１０に含まれる天然ゼオライトが有する強い脱臭作用によって、脱臭効果を奏することが可能となる。
さらに、コースター１では、載置台１０を軟岩（軟質）である大谷石により形成することによって、加工性が向上し、円形、四角形、星形、ハート形等、様々な形を容易に形成することが可能となる。
また、コースター１では、載置板１０の下面側に弾性材２０が配設されていることによって、コースター１がテーブルＴ等を破損することを防止可能となるとともに、載置板１０の割れを防止することが可能となる。
特に、本実施形態に係るコースター１では、弾性材２０がコルクにより形成されているため、コルクが持つ弾力性、断熱性、吸音性、耐水性軽量性等の特性により、コースター１の使い勝手を向上することが可能となる。
【符号の説明】
【００２５】
１    コースター
１０  載置台
１１  上面
１２  穴部
２０  弾性材
３０  装飾材
Ｃ    容器
Ｔ    テーブル
【図１】
0003186249.tif 000003
【図２】
0003186249.tif 000004
【図３】
0003186249.tif 000005
【図４】
0003186249.tif 000006
【図５】
0003186249.tif 000007